【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
第１絶縁膜と、前記第１絶縁膜上に設けられ第１方向に沿って延出し前記第１方向に直交した第２方向に互いに間隔を置いて位置した第１シールド電極及び第２シールド電極と、前記第１絶縁膜、第１シールド電極及び第２シールド電極上に設けられた第２絶縁膜と、前記第２絶縁膜上に設けられ前記第１シールド電極と対向し前記第１方向に沿って延出した第１ソース配線と、前記第２絶縁膜上に設けられ前記第２シールド電極と対向し前記第１方向に沿って延出した第２ソース配線と、前記第２絶縁膜、第１ソース配線及び第２ソース配線上に設けられた第３絶縁膜と、前記第３絶縁膜上に設けられ前記第１ソース配線と対向し前記第１方向に沿って延出した第１主共通電極と、前記第３絶縁膜上に設けられ前記第２ソース配線と対向し前記第１方向に沿って延出した第２主共通電極と、前記第３絶縁膜上に設けられ前記第１主共通電極と前記第２主共通電極との間に位置し前記第１方向に沿って延出した主画素電極と、を備えた第１基板と、
第２基板と、
前記第１基板と前記第２基板との間に挟持された液晶層と、を備え、
前記第１主共通電極及び第２主共通電極は、等電位に設定される液晶表示装置。
【請求項２】
前記第１シールド電極及び前記第２シールド電極と一体に形成された補助容量線をさらに備えた請求項１記載の液晶表示装置。
【請求項３】
前記第１シールド電極は、前記第１ソース配線の直下に配置され、前記第１ソース配線と略同等の幅を有し、
前記第２シールド電極は、前記第２ソース配線の直下に配置され、前記第２ソース配線と略同等の幅を有している請求項１に記載の液晶表示装置。
【請求項４】
前記第１主共通電極は、前記第１ソース配線の直上に配置され、前記第１ソース配線と略同等の幅を有し、
前記第２主共通電極は、前記第２ソース配線の直上に配置され、前記第２ソース配線と略同等の幅を有している請求項１に記載の液晶表示装置。
【請求項５】
前記第１基板は、前記第１絶縁膜で覆われ、前記第１シールド電極と前記補助容量線とに対向し、前記主画素電極に電気的に接続された補助容量電極をさらに備えている請求項１に記載の液晶表示装置。
【請求項６】
前記補助容量電極の前記第１主共通電極と対向した領域は、前記第１シールド電極の直下に配置され、前記第１ソース配線と略同等の幅を有し、
前記補助容量電極の前記補助容量線と対向した領域は、前記補助容量線の直下に配置され、前記補助容量線と略同等の幅を有している請求項５に記載の液晶表示装置。
【請求項７】
前記補助容量電極と同一層に設けられ、前記補助容量電極と同一材料で形成され、前記第１ソース配線と対向し、前記第１ソース配線に電気的に接続されたソース領域と、前記補助容量電極から連続的に形成されたドレイン領域と、チャネル領域と、を有した半導体層と、
前記第１シールド電極、第２シールド電極及び補助容量線と同一層に設けられ、前記第１絶縁膜を介して前記半導体層のチャネル領域と対向し、前記第２方向に沿って延出したゲート配線と、をさらに備えている請求項５に記載の液晶表示装置。
【請求項８】
前記第１ソース配線と前記主画素電極との間隔は、前記第２ソース配線と前記主画素電極との間隔と略同等である請求項１に記載の液晶表示装置。
【請求項９】
前記液晶層の液晶分子の初期配向方向は、前記第１方向に略平行な方向、又は前記第１方向から傾斜した方向である請求項１に記載の液晶表示装置。
【請求項１０】
前記第１基板は、前記液晶層に接する第１配向膜をさらに備え、
前記第２基板は、前記液晶層に接する第２配向膜をさらに備え、
前記第１配向膜が前記液晶層の液晶分子を初期配向させる第１配向処理方向と、前記第２配向膜が前記液晶分子を初期配向させる第２配向処理方向とは、前記第１方向に略平行な方向、又は前記第１方向から傾斜した方向である請求項１に記載の液晶表示装置。
【手続補正２】
【補正対象書類名】明細書
【補正対象項目名】０００６
【補正方法】変更
【補正の内容】
【０００６】
一実施形態に係る液晶表示装置は、
第１絶縁膜と、前記第１絶縁膜上に設けられ第１方向に沿って延出し前記第１方向に直交した第２方向に互いに間隔を置いて位置した第１シールド電極及び第２シールド電極と、前記第１絶縁膜、第１シールド電極及び第２シールド電極上に設けられた第２絶縁膜と、前記第２絶縁膜上に設けられ前記第１シールド電極と対向し前記第１方向に沿って延出した第１ソース配線と、前記第２絶縁膜上に設けられ前記第２シールド電極と対向し前記第１方向に沿って延出した第２ソース配線と、前記第２絶縁膜、第１ソース配線及び第２ソース配線上に設けられた第３絶縁膜と、前記第３絶縁膜上に設けられ前記第１ソース配線と対向し前記第１方向に沿って延出した第１主共通電極と、前記第３絶縁膜上に設けられ前記第２ソース配線と対向し前記第１方向に沿って延出した第２主共通電極と、前記第３絶縁膜上に設けられ前記第１主共通電極と前記第２主共通電極との間に位置し前記第１方向に沿って延出した主画素電極と、を備えた第１基板と、
第２基板と、
前記第１基板と前記第２基板との間に挟持された液晶層と、を備え、
前記第１主共通電極及び第２主共通電極は、等電位に設定される。
【手続補正３】
【補正対象書類名】明細書
【補正対象項目名】０００７
【補正方法】削除
【補正の内容】
【手続補正４】
【補正対象書類名】明細書
【補正対象項目名】０１０６
【補正方法】変更
【補正の内容】
【０１０６】
また、ゲート配線Ｇが画素ＰＸの上側端部に配置され、補助容量線Ｃが略画素中央部に配置されても良い。この場合には、副画素電極ＰＣは、略画素中央部に配置され、補助容量線Ｃと対向する（あるいは、副画素電極ＰＣが補助容量線Ｃの直上に配置される）。
以下に、本願出願の当初の特許請求の範囲に記載された発明を付記する。
［１］第１絶縁膜と、前記第１絶縁膜上に設けられ第１方向に沿って延出し前記第１方向に直交した第２方向に互いに間隔を置いて位置した第１シールド電極及び第２シールド電極と、前記第１絶縁膜上に設けられ前記第２方向に沿って延出し前記第１シールド電極及び第２シールド電極と一体に形成された補助容量線と、前記第１絶縁膜、第１シールド電極及び第２シールド電極上に設けられた第２絶縁膜と、前記第２絶縁膜上に設けられ前記第１シールド電極と対向し前記第１方向に沿って延出した第１ソース配線と、前記第２絶縁膜上に設けられ前記第２シールド電極と対向し前記第１方向に沿って延出した第２ソース配線と、前記第２絶縁膜、第１ソース配線及び第２ソース配線上に設けられた第３絶縁膜と、前記第３絶縁膜上に設けられ前記第１ソース配線と対向し前記第１方向に沿って延出した第１主共通電極と、前記第３絶縁膜上に設けられ前記第２ソース配線と対向し前記第１方向に沿って延出した第２主共通電極と、前記第３絶縁膜上に設けられ前記第１主共通電極と前記第２主共通電極との間に位置し前記第１方向に沿って延出した主画素電極と、を備えた第１基板と、
前記第１主共通電極と対向し前記第１方向に沿って延出した第３主共通電極と、前記第２主共通電極と対向し前記第１方向に沿って延出した第４主共通電極と、を備えた第２基板と、
前記第１基板と前記第２基板との間に挟持された液晶層と、を備え、
前記第１主共通電極、第２主共通電極、第３主共通電極及び第４主共通電極は、等電位に設定される液晶表示装置。
［２］前記第１シールド電極は、前記第１ソース配線の直下に配置され、前記第１ソース配線と略同等の幅を有し、
前記第２シールド電極は、前記第２ソース配線の直下に配置され、前記第２ソース配線と略同等の幅を有している［１］に記載の液晶表示装置。
［３］前記第１主共通電極は、前記第１ソース配線の直上に配置され、前記第１ソース配線と略同等の幅を有し、
前記第２主共通電極は、前記第２ソース配線の直上に配置され、前記第２ソース配線と略同等の幅を有している［２］に記載の液晶表示装置。
［４］前記第１基板は、前記第１絶縁膜で覆われ、前記第１シールド電極と前記補助容量線とに対向し、前記主画素電極に電気的に接続された補助容量電極をさらに備えている［１］に記載の液晶表示装置。
［５］前記補助容量電極の前記第１主共通電極と対向した領域は、前記第１シールド電極の直下に配置され、前記第１ソース配線と略同等の幅を有し、
前記補助容量電極の前記補助容量線と対向した領域は、前記補助容量線の直下に配置され、前記補助容量線と略同等の幅を有している［４］に記載の液晶表示装置。
［６］前記補助容量電極と同一層に設けられ、前記補助容量電極と同一材料で形成され、前記第１ソース配線と対向し、前記第１ソース配線に電気的に接続されたソース領域と、前記補助容量電極から連続的に形成されたドレイン領域と、チャネル領域と、を有した半導体層と、
前記第１シールド電極、第２シールド電極及び補助容量線と同一層に設けられ、前記第１絶縁膜を介して前記半導体層のチャネル領域と対向し、前記第２方向に沿って延出したゲート配線と、をさらに備えている［４］に記載の液晶表示装置。
［７］前記第２方向において、前記第１ソース配線と前記主画素電極との間隔は、前記第２ソース配線と前記主画素電極との間隔と略同等である［１］に記載の液晶表示装置。
［８］前記液晶層の液晶分子の初期配向方向は、前記第１方向に略平行な方向、又は前記第１方向から傾斜した方向である［１］に記載の液晶表示装置。
［９］前記第１基板は、前記液晶層に接する第１配向膜をさらに備え、
前記第２基板は、前記液晶層に接する第２配向膜をさらに備え、
前記第１配向膜が前記液晶層の液晶分子を初期配向させる第１配向処理方向と、前記第２配向膜が前記液晶分子を初期配向させる第２配向処理方向とは、前記第１方向に略平行な方向、又は前記第１方向から傾斜した方向である［１］に記載の液晶表示装置。
［１０］第１絶縁膜と、前記第１絶縁膜上に設けられ第１方向に沿って延出したシールド電極と、前記第１絶縁膜上に設けられ前記第１方向に直交した第２方向に沿って延出し前記シールド電極と一体に形成された補助容量線と、前記第１絶縁膜、シールド電極上に設けられた第２絶縁膜と、前記第２絶縁膜上に設けられ前記シールド電極と対向し前記第１方向に沿って延出したソース配線と、前記第２絶縁膜及びソース配線上に設けられた第３絶縁膜と、前記第３絶縁膜上に設けられ前記ソース配線と対向し前記第１方向に沿って延出した第１主共通電極と、前記第３絶縁膜上に設けられ前記第２方向に前記第１主共通電極と間隔を置いて位置し前記第１方向に沿って延出した主画素電極と、を備えた第１基板と、
前記第１主共通電極と対向し前記第１方向に沿って延出した第２主共通電極を備えた第２基板と、
前記第１基板と前記第２基板との間に挟持された液晶層と、を備え、
前記第１主共通電極及び第２主共通電極は、等電位に設定される液晶表示装置。